(57)【要約】【課題】撮像装置と撮影者の間の距離によってナレーションの有無を判断して、ナレーションの収音を明瞭に行う。【解決手段】距離測定部２００は撮影者との間の距離を測定する。ナレーション音源供給部３１０は撮影者との間の距離に応じて、撮影者によるナレーション音源のレベルを調整する。撮影音源供給部３２０は撮影者との間の距離に応じて、被写体の撮影音源のレベルを調整する。音源合成部３３０はナレーション音源供給部３１０および撮影音源供給部３２０から供給された音源を合成する。帯域制御部３４０は撮影者との間の距離に応じて、音源合成部３３０によって合成された音源の音声帯域をブーストする。これにより、撮影者との間の距離に応じて音源のレベルおよび周波数特性が調整され、ナレーションの収音が明瞭に行われる。【選択図】図２
2007281981.tif 000002
【特許請求の範囲】
【請求項１】
被写体を撮像するとともに周囲の音源を収音する撮像装置において、
当該撮像装置の所定個所とその所定個所の特定方向に存在する物体との間の距離を測定する距離測定手段と、
前記距離に応じて前記特定方向からの音源のレベルを調整する音源調整手段と
を具備することを特徴とする撮像装置。
【請求項２】
前記音源調整手段は、前記距離が所定長より短くなると前記特定方向からの音源のレベルを大きくすることを特徴とする請求項１記載の撮像装置。
【請求項３】
前記音源調整手段は、前記距離が所定長より長くなると前記特定方向からの音源のレベルを大きくすることを特徴とする請求項１記載の撮像装置。
【請求項４】
前記音源調整手段は、前記距離が短くなるほど前記特定方向からの音源のレベルを大きくすることを特徴とする請求項１記載の撮像装置。
【請求項５】
前記音源調整手段は、前記距離が長くなるほど前記特定方向からの音源のレベルを大きくすることを特徴とする請求項１記載の撮像装置。
【請求項６】
前記距離に応じて所定帯域のレベルを制御する帯域制御手段をさらに具備することを特徴とする請求項１記載の撮像装置。
【請求項７】
前記帯域制御手段は、前記距離が所定長より短くなると前記所定帯域のレベルを高くすることを特徴とする請求項６記載の撮像装置。
【請求項８】
前記帯域制御手段は、前記距離が所定長より長くなると前記所定帯域のレベルを高くすることを特徴とする請求項６記載の撮像装置。
【請求項９】
前記帯域制御手段は、前記距離が短くなるほど前記所定帯域のレベルを高くすることを特徴とする請求項６記載の撮像装置。
【請求項１０】
前記帯域制御手段は、前記距離が長くなるほど前記所定帯域のレベルを高くすることを特徴とする請求項６記載の撮像装置。
【請求項１１】
被写体を撮像する撮像装置において、
当該撮像装置の所定個所とその所定個所の特定方向に存在する物体との間の距離を測定する距離測定手段と、
当該撮像装置の周囲の音源を収音する収音手段と、
前記距離に応じて前記収音手段の指向性を変化させる指向性調整手段と
を具備することを特徴とする撮像装置。
【請求項１２】
被写体を撮像する撮像装置において、
当該撮像装置の所定個所とその所定個所の特定方向に存在する物体との間の距離を測定する距離測定手段と、
前記被写体の方向に指向性を有する第１のマイクロホンと、
前記距離に応じて前記第１のマイクロホンのレベルを調整して出力する第１のマイクロホンレベル調整手段と、
少なくとも前記特定方向に指向性を有する第２のマイクロホンと、
前記距離に応じて前記第２のマイクロホンのレベルを調整して出力する第２のマイクロホンレベル調整手段と、
前記第１のマイクロホンレベル調整手段および前記第２のマイクロホンレベル調整手段の出力を合成する合成手段と
を具備することを特徴とする撮像装置。
【請求項１３】
被写体を撮像する撮像装置において、
当該撮像装置の所定個所とその所定個所の特定方向に存在する物体との間の距離を測定する距離測定手段と、
前記被写体の方向に指向性を有する単方向指向性マイクロホンと、
前記被写体の方向とは垂直方向の双方向に指向性を有する双指向性マイクロホンと、
前記単方向指向性マイクロホンおよび前記双指向性マイクロホンの出力を加減算する加減算器と、
前記距離に応じて前記加減算器のレベルを調整して出力する加減算器レベル調整手段と、
前記距離に応じて前記双指向性マイクロホンのレベルを調整して出力する双指向性マイクロホンレベル調整手段と、
前記加減算器レベル調整手段および前記双指向性マイクロホンレベル調整手段の出力を合成する合成手段と
を具備することを特徴とする撮像装置。
【請求項１４】
被写体を撮像する撮像装置において、
当該撮像装置の所定個所とその所定個所の特定方向に存在する物体との間の距離を測定する距離測定手段と、
対向する頂点を結ぶ直線が互いに直交する四角形の各頂点に配置された指向性を有しない４つの無指向性マイクロホンと、
前記４つの無指向性マイクロホンの出力を任意に組み合わせて加算して無指向性信号を生成する加算手段と、
前記４つの無指向性マイクロホンのうち互いに向かい合う出力同士を減算して２つの双指向性信号を生成する減算手段と、
前記無指向性信号および双指向性信号を加算して合成する加算合成器と、
前記距離に応じて前記加算合成器のレベルを調整して出力する加算合成器レベル調整手段と
を具備することを特徴とする撮像装置。
【請求項１５】
被写体を撮像する撮像装置において、
当該撮像装置の所定個所とその所定個所の特定方向に存在する物体との間の距離を測定する距離測定手段と、
前記被写体の方向に指向性を有する第１の指向性マイクロホンと、
前記被写体の方向とは反対の方向に指向性を有する第２の指向性マイクロホンと、
前記被写体の方向とは垂直方向の双方向に指向性を有する双指向性マイクロホンと、
前記第１および第２の指向性マイクロホンならびに前記双指向性マイクロホンの出力を加算して合成する加算合成器と、
前記距離に応じて前記加算合成器のレベルを調整して出力する加算合成器レベル調整手段と
を具備することを特徴とする撮像装置。
【請求項１６】
被写体を撮像するとともに周囲の音源を収音する撮像装置において、
当該撮像装置の所定個所とその所定個所の特定方向に存在する物体との間の距離を測定する手順と、
前記距離が所定長より短くなると前記特定方向からの音源のレベルを高くする手順と
を具備することを特徴とする撮像方法。
【請求項１７】
被写体を撮像するとともに周囲の音源を収音する撮像装置において、
当該撮像装置の所定個所とその所定個所の特定方向に存在する物体との間の距離を測定する手順と、
前記距離が所定長より短くなると前記特定方向からの音源のレベルを高くする手順と
をコンピュータに実行させることを特徴とするプログラム。
【発明の詳細な説明】
【技術分野】
【０００１】
本発明は、撮像装置に関し、特に被写体を撮像するとともに周囲の音源を収音する撮像装置、および、その処理方法ならびに当該方法をコンピュータに実行させるプログラムに関する。
【背景技術】
【０００２】
ビデオカメラなどの撮像装置は、被写体の撮像に合わせてその撮像装置の周囲の音源を収音するためにマイクロホンを内蔵することが多い。このマイクロホンはレンズ画角に合った収音を主な目的とするものであり、被写体の音を収音するために適した指向性を有している。
【０００３】
ここで、撮影者自身がナレーションを入れようとする場合、撮影者は撮像装置の後方に位置するため、その音声は不明瞭になる傾向がある。例えば、運動会などでは、音楽が放送されている場合が多く、さらに応援者の声なども大きい。上述のようにマイクロホンの指向性は被写体に向いているため、撮影者自身が後方からナレーションを入れてもそれらの音にかき消されてしまう。
【０００４】
そこで、従来の撮像装置においては、ナレーションの有無によって手動でマイクロホンの指向性を切り替えていた。そのような技術として、例えば、プッシュ式の機構スイッチを設けて、ナレーションモード時には撮影者がそのスイッチを押下することによりマイクロホンの指向性を切り替える装置が提案されている（例えば、特許文献１参照。）。
【特許文献１】特開２００２−３４５０７４号公報（図１）
【発明の開示】
【発明が解決しようとする課題】
【０００５】
しかしながら、ナレーションの有無によって手動でマイクロホンの指向性を切り替えることは撮影者にとって煩雑な操作となる。また、撮像装置に新たなスイッチを設けることは撮像装置の小型化を阻害する要因となり得る。
【０００６】
そこで、本発明は、撮像装置と撮影者の間の距離によってナレーションの有無を判断して、ナレーションの収音を明瞭に行うことを目的とする。
【課題を解決するための手段】
【０００７】
本発明は、上記課題を解決するためになされたものであり、その第１の側面は、被写体を撮像するとともに周囲の音源を収音する撮像装置において、当該撮像装置の所定個所とその所定個所の特定方向に存在する物体との間の距離を測定する距離測定手段と、上記距離に応じて上記特定方向からの音源のレベルを調整する音源調整手段とを具備することを特徴とする撮像装置である。これにより、撮像装置の所定個所の特定方向に存在する物体との間の距離に応じて、その特定方向からの音源のレベルを調整させるという作用をもたらす。すなわち、撮影者との距離に応じて撮影者によるナレーションを明瞭に収音するよう制御することができる。
【０００８】
また、この第１の側面において、上記音源調整手段は、上記距離が所定長より短くなると上記特定方向からの音源のレベルを大きくしてもよく、また、上記距離が所定長より長くなると上記特定方向からの音源のレベルを大きくしてもよい。さらに、上記音源調整手段は、上記距離が短くなるほど上記特定方向からの音源のレベルを大きくしてもよく、また、上記距離が長くなるほど上記特定方向からの音源のレベルを大きくしてもよい。
【０００９】
また、この第１の側面において、上記距離に応じて所定帯域のレベルを制御する帯域制御手段をさらに具備してもよい。これにより、ナレーション収音に適した周波数特性になるよう制御することができる。この場合、上記帯域制御手段は、上記距離が所定長より短くなると上記所定帯域のレベルを高くしてもよく、また、上記距離が所定長より長くなると上記所定帯域のレベルを高くしてもよい。さらに、上記帯域制御手段は、上記距離が短くなるほど上記所定帯域のレベルを高くしてもよく、また、上記距離が長くなるほど上記所定帯域のレベルを高くしてもよい。
【００１０】
また、本発明の第２の側面は、被写体を撮像する撮像装置において、当該撮像装置の所定個所とその所定個所の特定方向に存在する物体との間の距離を測定する距離測定手段と、当該撮像装置の周囲の音源を収音する収音手段と、上記距離に応じて上記収音手段の指向性を変化させる指向性調整手段とを具備することを特徴とする撮像装置である。これにより、撮像装置の所定個所の特定方向に存在する物体との間の距離に応じて、収音の指向性を変化させるという作用をもたらす。
【００１１】
また、本発明の第３の側面は、被写体を撮像する撮像装置において、当該撮像装置の所定個所とその所定個所の特定方向に存在する物体との間の距離を測定する距離測定手段と、上記被写体の方向に指向性を有する第１のマイクロホンと、上記距離に応じて上記第１のマイクロホンのレベルを調整して出力する指向性マイクロホンレベル調整手段と、少なくとも前記特定方向に指向性を有する第２のマイクロホンと、上記距離に応じて上記第２のマイクロホンのレベルを調整して出力する第２のマイクロホンレベル調整手段と、上記第１のマイクロホンレベル調整手段および上記第２のマイクロホンレベル調整手段の出力を合成する合成手段とを具備することを特徴とする撮像装置である。これにより、第１のマイクロホンおよび第２のマイクロホンを組み合わせた配置において、撮像装置の所定個所の特定方向に存在する物体との間の距離に応じて、周囲の音源のレベルを調整させるという作用をもたらす。
【００１２】
また、本発明の第４の側面は、被写体を撮像する撮像装置において、当該撮像装置の所定個所とその所定個所の特定方向に存在する物体との間の距離を測定する距離測定手段と、上記被写体の方向に指向性を有する単方向指向性マイクロホンと、上記被写体の方向とは垂直方向の双方向に指向性を有する双指向性マイクロホンと、上記単方向指向性マイクロホンおよび上記双指向性マイクロホンの出力を加減算する加減算器と、上記距離に応じて上記加減算器のレベルを調整して出力する加減算器レベル調整手段と、上記距離に応じて上記双指向性マイクロホンのレベルを調整して出力する双指向性マイクロホンレベル調整手段と、上記加減算器レベル調整手段および上記双指向性マイクロホンレベル調整手段の出力を合成する合成手段とを具備することを特徴とする撮像装置である。これにより、単方向指向性マイクロホンおよび双指向性マイクロホンを組み合わせた配置において、撮像装置の所定個所の特定方向に存在する物体との間の距離に応じて、周囲の音源のレベルを調整させるという作用をもたらす。
【００１３】
また、本発明の第５の側面は、被写体を撮像する撮像装置において、当該撮像装置の所定個所とその所定個所の特定方向に存在する物体との間の距離を測定する距離測定手段と、対向する頂点を結ぶ直線が互いに直交する四角形の各頂点に配置された指向性を有しない４つの無指向性マイクロホンと、上記４つの無指向性マイクロホンの出力を任意に組み合わせて加算して無指向性信号を生成する加算手段と、上記４つの無指向性マイクロホンのうち互いに向かい合う出力同士を減算して２つの双指向性信号を生成する減算手段と、上記無指向性信号および双指向性信号を加算して合成する加算合成器と、上記距離に応じて上記加算合成器のレベルを調整して出力する加算合成器レベル調整手段とを具備することを特徴とする撮像装置である。これにより、４つの無指向性マイクロホンを正方形の各頂点に配置した場合において、撮像装置の所定個所の特定方向に存在する物体との間の距離に応じて、周囲の音源のレベルを調整させるという作用をもたらす。
【００１４】
また、本発明の第６の側面は、被写体を撮像する撮像装置において、当該撮像装置の所定個所とその所定個所の特定方向に存在する物体との間の距離を測定する距離測定手段と、上記被写体の方向に指向性を有する第１の指向性マイクロホンと、上記被写体の方向とは反対の方向に指向性を有する第２の指向性マイクロホンと、上記被写体の方向とは垂直方向の双方向に指向性を有する双指向性マイクロホンと、上記第１および第２の指向性マイクロホンならびに上記双指向性マイクロホンの出力を加算して合成する加算合成器と、上記距離に応じて上記加算合成器のレベルを調整して出力する加算合成器レベル調整手段とを具備することを特徴とする撮像装置である。これにより、第１および第２の指向性マイクロホンおよび双指向性マイクロホンを組み合わせた配置において、撮像装置の所定個所の特定方向に存在する物体との間の距離に応じて、周囲の音源のレベルを調整させるという作用をもたらす。
【００１５】
また、本発明の第７の側面は、被写体を撮像するとともに周囲の音源を収音する撮像装置において、当該撮像装置の所定個所とその所定個所の特定方向に存在する物体との間の距離を測定する手順と、上記距離が所定長より短くなると上記特定方向からの音源のレベルを高くする手順とを具備することを特徴とする撮像方法またはこれら手順をコンピュータに実行させることを特徴とするプログラムである。これにより、撮像装置の所定個所の特定方向に存在する物体との間の距離に応じて、その特定方向からの音源のレベルを調整させるという作用をもたらす。
【発明の効果】
【００１６】
本発明によれば、撮像装置と撮影者の間の距離によってナレーションの有無を判断して、ナレーションの収音を明瞭に行うことができるという優れた効果を奏し得る。
【発明を実施するための最良の形態】
【００１７】
次に本発明の実施の形態について図面を参照して詳細に説明する。
【００１８】
図１は、本発明の実施の形態における撮像装置１００の一構成例を示す図である。この撮像装置１００は、ファインダ１１０と、投光素子１２１と、受光素子１２２と、距離算出回路１２３と、マイクロホン１３１と、音源制御回路１３２と、レンズ１４０と、撮像素子１５０と、画像処理回路１６０と、多重化回路１７０とを備えている。
【００１９】
ファインダ１１０は、撮像画像の構図を撮影者に対して示すものであり、形式としては撮像装置を貫通する覗き穴により実現されるものや、液晶を利用したものなどがある。ここでは、一実施例として、電子ビューファインダ（ＥＶＦ：Electric View Finder）を想定して説明する。この電子ビューファインダは、撮像素子から取得された情報を接眼部に対して電子的に投影するものであり、その内部では一般に液晶が利用される。
【００２０】
投光素子１２１および受光素子１２２は、撮影者との間の距離を測定するための投光および受光をそれぞれ行うものであり、ファインダ１１０の内部もしくはその近傍に設けられる。投光素子１２１は、例えば赤外発光ダイオード等が用いられる。受光素子１２２は、投光素子１２１から投光されて撮影者に反射した光を受光する素子であり、例えばシリコンフォトセル（ＳＰＣ）等が用いられる。
【００２１】
距離算出回路１２３は、投光素子１２１から投光されて撮影者に反射した光が受光素子１２２に受光されるまでの時間に基づいて距離を算出する回路である。この距離算出回路１２３は、信号線２０９を介して音源制御回路１３２に距離を供給する。なお、ここでは、光センサーによる距離測定の例について説明したが、これに限らず超音波センサーなどを利用してもよい。
【００２２】
マイクロホン１３１は、撮像装置１００の周囲の音源を収音するものである。このマイクロホン１３１は、後述するように、複数のマイクロホンを組み合わせることにより構成される。
【００２３】
音源制御回路１３２は、距離算出回路１２３によって算出された撮影者との間の距離に基づいて、マイクロホン１３１からの音源を制御するものである。音源制御回路１３２の制御内容は、音源となるマイクロホンの種類によって異なる。音源制御回路１３２は、マイクロホン１３１の複数のマイクロホンの音源を組み合わせて所望の指向性を有する音源を生成する場合がある。この音源制御回路１３２は、信号線３４９を介して多重化回路１７０に音声信号を供給する。
【００２４】
レンズ１４０は、被写体の画像を取得するための光学素子である。撮像素子１５０は、レンズ１４０を介して取得された被写体の画像を電気信号に変換する光電変換素子であり、例えば、ＣＣＤ（Charge Coupled Device）などにより実現される。
【００２５】
画像処理回路１６０は、撮像素子１５０から供給された画像信号をアナログ信号からデジタル信号に変換し、ホワイトバランスなどの画像処理を施すものである。多重化回路１７０は、画像処理回路１６０から供給された画像信号と音源制御回路１３２から供給された音声信号とを多重化して音声付動画像信号を生成するものである。
【００２６】
図２は、本発明の実施の形態における撮像装置１００の音源供給部３００の一構成例を示す図である。この音源供給部３００は、距離測定部２００から供給された距離に応じて音源の制御を行って、多重化回路１７０に対して音声信号を供給するものである。この音源供給部３００は、図１のマイクロホン１３１および音源制御回路１３２に相当するものであり、信号線２０９を介して距離測定部２００から距離を受け取り、信号線３４９を介して音声信号を多重化回路１７０に供給する。
【００２７】
距離測定部２００は、撮影者との間の距離を測定するものであり、図１の投光素子１２１、受光素子１２２および距離算出回路１２３に相当する。この距離測定部２００によって測定された距離は、信号線２０９を介して音源供給部３００の各部に供給される。
【００２８】
音源供給部３００は、ナレーション音源供給部３１０と、撮影音源供給部３２０と、音源合成部３３０と、帯域制御部３４０とを備える。
【００２９】
ナレーション音源供給部３１０は、撮影者によるナレーション音源を信号線３１９により供給するものである。撮影音源供給部３２０は、被写体の音源を信号線３２１により供給するものである。これらナレーション音源供給部３１０および撮影音源供給部３２０は、距離測定部２００から供給される距離に基づいて音源のレベルを調整する。
【００３０】
ナレーション音源供給部３１０および撮影音源供給部３２０による調整内容としては、例えば、撮影者との間の距離が予め定められた距離よりも短ければ、ナレーション音源供給部３１０からの音源のレベルが大きく（高く）なるように調整し、撮影音源供給部３２０からの音源のレベルが小さく（低く）なるように調整することが考えられる。また、これとは逆に、撮影者との間の距離が予め定められた距離よりも長ければ、ナレーション音源供給部３１０からの音源のレベルが大きくなるように調整し、撮影音源供給部３２０からの音源のレベルが小さくなるように調整することが考えられる。何れの手法を採用するかは撮影者の嗜好による。すなわち、撮像装置に顔を近づけた際にナレーションを入れたければ前者を採用し、撮像装置から顔を遠ざけた際にナレーションを入れたければ後者を採用することになる。
【００３１】
また、予め定められた閾値を基準としてオンまたはオフするようにしてもよいが、これに限らず、例えば、撮影者との間の距離が短くなるほど、ナレーション音源供給部３１０からの音源のレベルが徐々に大きくなるように調整し、撮影音源供給部３２０からの音源のレベルが徐々に小さくなるように調整することが考えられる。また、これとは逆に、撮影者との間の距離が予め定められた距離が長くなるほど、ナレーション音源供給部３１０からの音源のレベルが大きくなるように調整し、撮影音源供給部３２０からの音源のレベルが小さくなるように調整することが考えられる。
【００３２】
音源合成部３３０は、ナレーション音源供給部３１０および撮影音源供給部３２０から供給された音源を合成するものである。この音源合成部３３０における合成としては、単純な加算もしくは加算平均が考えられる。この音源合成部３３０により合成された音源は、信号線３３９を介して帯域制御部３４０に供給される。
【００３３】
帯域制御部３４０は、距離測定部２００から供給された距離に基づいて、音源合成部３３０から供給された音源の帯域を制御する。この帯域制御部３４０による制御としては、例えば、撮影者との間の距離が予め定められた距離よりも短ければ、音声帯域における音源のレベルが大きくなるように調整することが考えられる。また、これとは逆に、撮影者との間の距離が予め定められた距離よりも長ければ、音声帯域における音源のレベルが大きくなるように調整することが考えられる。この帯域制御部３４０は、例えばバンドパスフィルタによって実現することができる。この帯域制御部３４０によって帯域の操作がされた音源は、信号線３４９を介して多重化回路１７０に供給される。
【００３４】
図３は、本発明の実施の形態における撮像装置１００のマイクロホンの第１の配置例を示す図である。この第１の配置例では、無指向性マイクロホン３８１および単一指向性マイクロホン３８２の２つのマイクロホンが配置されている。
【００３５】
無指向性マイクロホン３８１は、指向性を有しないマイクロホンである。単一指向性マイクロホン３８２は、撮影方向に指向性を有するマイクロホンであり、無指向性マイクロホン３８１から相対的に撮影方向に配置される。これら無指向性マイクロホン３８１と単一指向性マイクロホン３８２との間の距離は、例えば１０乃至１５ミリメートル程度である。
【００３６】
図４は、本発明の実施の形態による第１の配置例におけるマイクロホンの指向特性の一例を示す図である。指向特性は、各マイクロホンの全周囲方向からの感度レベルを極座標表示したものであり、撮像装置による撮影方向を０°としている。また、この指向特性の半径方向の感度レベルは相対的なものであり、中心が感度ゼロを示す。
【００３７】
図４（ａ）は、無指向性マイクロホン３８１の指向特性の一例であり、全方向に同レベルの感度特性を有している。図４（ｂ）は、単一指向性マイクロホン３８２の指向特性の一例であり、撮影方向に指向性を有している。
【００３８】
図５は、本発明の実施の形態による第１の配置例におけるマイクロホンを利用したナレーション音源供給部３１０および撮影音源供給部３２０の構成例を示す図である。
【００３９】
この例では、ナレーション音源供給部３１０が無指向性マイクロホン３８１およびナレーション音源調整部３１１を備え、撮影音源供給部３２０が単一指向性マイクロホン３８２および撮影音源調整部３２１を備えている。
【００４０】
無指向性マイクロホン３８１は、図４（ａ）の指向特性を有するマイクロホンであり、信号線３１８により音源を供給する。単一指向性マイクロホン３８２は、図４（ｂ）の指向特性を有するマイクロホンであり、信号線３２８により音源を供給する。
【００４１】
ナレーション音源調整部３１１および撮影音源調整部３２１は、距離測定部２００から供給される距離に基づいて、それぞれ無指向性マイクロホン３８１および単一指向性マイクロホン３８２の音源のレベルを調整するものである。これらナレーション音源調整部３１１および撮影音源調整部３２１は、それぞれ信号線３１９および３２９を介して音源合成部３３０に音源を供給する。
【００４２】
図６は、本発明の実施の形態におけるマイクロホンのレベル制御の例を示す図である。図６（ａ）は、撮影者との間の距離が所定長より短いか否かによって音源のレベルをオン／オフ制御する例である。すなわち、撮影者との間の距離が切替点よりも短ければナレーション音源６０１のレベルがオン状態になり、また、撮像音源６０２のレベルがオフ状態になる。これにより、撮影者が撮像装置１００に顔を近づけると、無指向性マイクロホン３８１が音源として有効になるとともに単一指向性マイクロホン３８２が音源として無効になるため、音源合成部３３０による合成の結果、図４（ａ）のような指向特性になって撮影者によるナレーションが明瞭に収音される。
【００４３】
一方、撮影者との間の距離が切替点よりも長ければナレーション音源６０１のレベルがオフ状態になり、また、撮像音源６０２のレベルがオン状態になる。これにより、撮影者が撮像装置１００から顔を遠ざけると、無指向性マイクロホン３８１が音源として無効になるとともに単一指向性マイクロホン３８２が音源として有効になるため、音源合成部３３０による合成の結果、図４（ｂ）のような指向特性になって被写体の音源が明瞭に収音される。
【００４４】
図６（ｂ）は、撮影者との間の距離に応じて音源のレベルを変動制御する例である。図６（ａ）では切替点を基準として音源のオン／オフ制御を行う例を示したが、この図６（ｂ）の例では撮影者との間の距離に応じて音源を対数的に変化させる。これにより、撮影者が撮像装置１００に顔を近づけるにしたがって、無指向性マイクロホン３８１の音源のレベルが大きくなっていくとともに単一指向性マイクロホン３８２の音源のレベルが小さくなっていくため、音源合成部３３０による合成の結果、図４（ｂ）よりも図４（ａ）に近い指向特性になって撮影者によるナレーションが明瞭に収音される。
【００４５】
一方、撮影者が撮像装置１００から顔を遠ざけるにしたがって、無指向性マイクロホン３８１の音源のレベルが小さくなっていくとともに単一指向性マイクロホン３８２の音源のレベルが大きくなっていくため、音源合成部３３０による合成の結果、図４（ａ）よりも図４（ｂ）に近い指向特性になって被写体の音源が明瞭に収音される。
【００４６】
なお、この図６では、撮影者との間の距離が近い場合にナレーション音源６０１のレベルを大きくする例について説明したが、上述のように、この対応関係は逆であっても構わない。また、ここではナレーション音源供給部３１０が無指向性マイクロホン３８１を備える例について説明したが、撮影者が撮像装置１００の後方に位置することを想定して、後方に指向性をもつ単一指向性マイクロホンを備えるようにしても構わない。
【００４７】
図７は、本発明の実施の形態におけるマイクロホンの帯域制御の例を示す図である。この帯域制御は帯域制御部３４０によって行われるものである。
【００４８】
図７（ａ）は、音声帯域を強調するための音源レベルの制御例である。この例では撮影者との間の距離が切替点よりも短い場合にナレーションが行なわれるものと想定して、信号線３３９の音源をレベル６０４のようにブーストさせている。すなわち、音声帯域に相当する４００Ｈｚから４ＫＨｚ程度の音源を通常のレベル６０３と比較して大きくなるように制御する。これにより、撮影者によるナレーションがより明瞭に収音されるようになる。
【００４９】
図７（ｂ）は、撮影者との間の距離に応じて音声帯域のブースト量を変動させる制御例である。図７（ａ）の例では切替点を基準として音源のブーストのオン／オフ制御を行う例を示したが、この図７（ｂ）の例では撮影者との間の距離に応じてブースト量を対数的に変化させる。これにより、撮影者が撮像装置１００に顔を近づけるにしたがって、撮影者によるナレーションがより明瞭に収音されるようになる。
【００５０】
なお、この図７では、撮影者との間の距離が近い場合に音声帯域のレベルを大きくする例について説明したが、上述のように、この対応関係は逆であっても構わない。
【００５１】
図８は、本発明の実施の形態における撮像装置１００のマイクロホンの第２の配置例を示す図である。この第２の配置例では、無指向性マイクロホン３８３および３８４の２つのマイクロホンが配置されている。
【００５２】
無指向性マイクロホン３８３および３８４は、指向性を有しないマイクロホンである。これら無指向性マイクロホン３８３および３８４の間の距離は、例えば１０乃至１５ミリメートル程度である。
【００５３】
図９は、本発明の実施の形態による第２の配置例におけるマイクロホンを利用したナレーション音源供給部３１０および撮影音源供給部３２０の構成例を示す図である。
【００５４】
無指向性マイクロホン３８３による音源は、図５の無指向性マイクロホン３８１と同様であるため、そのまま信号線３１８によるナレーション音源として用いることができる。
【００５５】
一方、無指向性マイクロホン３８４による音源は、指向性を有する音源に変換されて、信号線３２８による撮影音源として用いられる。無指向性マイクロホン３８３による音源が遅延部３２２によって遅延され、その遅延された音源と無指向性マイクロホン３８４による音源の差分信号が減算部３２３によって生成される。そして、その生成された差分信号はイコライザ３２４によって周波数特性が整えられて、信号線３２８に供給される。すなわち、無指向性マイクロホン３８４、遅延部３２２、減算部３２３およびイコライザ３２４は、単一指向性マイクロホン３８９を構成する。ここで、遅延部３２２による遅延量は、無指向性マイクロホン３８３および３８４の間の距離に応じた音速信号として設定される。
【００５６】
これにより、図８の第２の配置例による無指向性マイクロホン３８３および３８４は、第１の配置例の無指向性マイクロホン３８１および単一指向性マイクロホン３８２と等価な音源を生成することができ、第１の配置例と同様の指向特性を実現することができる。
【００５７】
図１０は、本発明の実施の形態における撮像装置１００のマイクロホンの第３の配置例を示す図である。この第３の配置例では、双指向性マイクロホン３８５および単一指向性マイクロホン３８６の２つのマイクロホンが配置されており、一般にミッドサイド方式マイクと呼ばれる。
【００５８】
双指向性マイクロホン３８５は、右方向および左方向の双方向に指向性を有するマイクロホンである。また、単一指向性マイクロホン３８６は、撮影方向に指向性を有するマイクロホンである。これら双指向性マイクロホン３８５および単一指向性マイクロホン３８６の間の距離は、例えば１０乃至１５ミリメートル程度である。
【００５９】
図１１は、本発明の実施の形態による第３の配置例におけるマイクロホンの指向特性の生成例を示す図である。図１１（ａ）のように、双指向性マイクロホン３８５は右方向に指向性５０１を有し、左方向に指向性５０２を有している。また、単一指向性マイクロホン３８６は、撮影方向に指向性５０３を有している。
【００６０】
そこで、双指向性マイクロホン３８５の音源と単一指向性マイクロホン３８６の音源を同レベルで加算平均処理すれば、逆相側がキャンセルされて図１１（ｂ）の右チャンネルの指向性５０４が得られる。また、双指向性マイクロホン３８５の音源と単一指向性マイクロホン３８６の音源を同レベルで減算平均処理すれば、逆相側がキャンセルされて図１１（ｂ）の左チャンネルの指向性５０５が得られる。
【００６１】
また、これら加算平均処理および減算平均処理における双指向性マイクロホン３８５の音源と単一指向性マイクロホン３８６の音源の合成比を変えることにより、右チャンネルと左チャンネルの主軸の成す角度を連続的に変化させることができる。すなわち、単一指向性マイクロホン３８６の音源のレベルを双指向性マイクロホン３８５の音源のレベルよりも大きくすると主軸が撮影方向に閉じて、逆に双指向性マイクロホン３８５の音源のレベルを単一指向性マイクロホン３８６の音源のレベルよりも大きくすると主軸が開いてくる。
【００６２】
図１２は、本発明の実施の形態による第３の配置例におけるマイクロホンの音源の合成例を示す図である。
【００６３】
加算部３２５は、双指向性マイクロホン３８５の音源と単一指向性マイクロホン３８６の音源を加算平均処理するものであり、右チャンネルの指向性５０４を信号線３２８−Ｒに供給する。減算部３２６は、双指向性マイクロホン３８５の音源と単一指向性マイクロホン３８６の音源を減算平均処理するものであり、左チャンネルの指向性５０５を信号線３２８−Ｌに供給する。
【００６４】
なお、ここでは、加算部３２５および減算部３２６は、双指向性マイクロホン３８５の音源と単一指向性マイクロホン３８６の音源を同レベルで加算平均または減算平均するものとしたが、上述のように、それぞれの音源の合成比を変えることにより、右チャンネルと左チャンネルの主軸の成す角度を変化させることができる。
【００６５】
このようにして生成された音源は、信号線３２８−ＲおよびＬによってステレオ音源を供給する。このステレオ音源を図５の撮影音源として用いることによって、第１の配置例に準じたレベル制御を行うことができる。
【００６６】
図１３は、本発明の実施の形態による第３の配置例におけるマイクロホンの指向特性の一例を示す図である。
【００６７】
図１３（ａ）は、双指向性マイクロホン３８５の指向特性の一例であり、左右方向に指向特性を有している。図１３（ｂ）は、図１２に示した回路により生成されるステレオ音源の指向特性の一例であり、右チャンネルおよび左チャンネルの所定の角度に指向性を有している。
【００６８】
そこで、例えば、撮影者との間の距離が切替点よりも短ければ双指向性マイクロホン３８５の音源が採用されるように音源合成部３３０によって合成され、図１３（ａ）の指向特性のような指向特性になって撮影者によるナレーションが明瞭に収音される。
【００６９】
一方、撮影者との間の距離が切替点よりも長ければ図１２に示した回路により生成されるステレオ音源が採用されるように音源合成部３３０によって合成され、図１３（ｂ）の指向特性のような指向特性になって被写体の音源がステレオにより明瞭に収音される。
【００７０】
なお、ここでは、撮影音源としてステレオ音源を用いる例について説明したが、この撮影音源は５．１チャンネルなどのサラウンド音源を用いてもよい。
【００７１】
図１４は、５．１チャンネルのサラウンド音源の配置および指向特性を示す図である。このサラウンド音源の５．１チャンネルは、撮影者５９９を基準として撮影方向の指向パターン５９１、正面左方向の指向パターン５９２、正面右方向の指向パターン５９３、後方左方向の指向パターン５９４および後方右方向の指向パターン５９５の５チャンネルと、全指向方向の指向パターン５９６の低周波数帯域の０．１チャンネルである。なお、低周波数帯域の０．１チャンネルは、１００Ｈｚ程度以下の低音の重量感を得るためのものである。
【００７２】
このようなサラウンド音源を収音および記録して既存のサラウンド対応システムで再生することによりサラウンド音場が得られる。そこで、ナレーションが行われないときにはそれぞれの方向から均等レベルもしくは撮影方向の収音レベルを大きくして収音し、ナレーションが行われるときには後方左方向の指向パターン５９４および後方右方向の指向パターン５９５の収音レベルを他のチャンネルよりも大きくする。これにより、撮影者によるナレーションが明瞭に収音される。また、収音レベルだけでなく、収音方向を撮影者に向けるように指向特性を変化させてもよい。
【００７３】
図１５は、本発明の実施の形態における撮像装置１００のマイクロホンの第４の配置例を示す図である。この第４の配置例では、無指向性マイクロホン３９１乃至３９４の４つのマイクロホンが配置されている。これら無指向性マイクロホン３９１乃至３９４の間の距離は、例えば１０乃至１５ミリメートル程度である。また、無指向性マイクロホン３９１および３９３を結ぶ直線と無指向性マイクロホン３９４および３９２を結ぶ直線とが直交していればよく、相互の位置関係はこれに限定されない。
【００７４】
これら無指向性マイクロホン３９１乃至３９４は、何れも特定方向への指向性を有しないが、これらを組み合わせて合成することにより、図１４に示したサラウンド音源を生成することができる。
【００７５】
図１６は、本発明の実施の形態による第４の配置例におけるマイクロホンの指向特性の生成例を示す図である。
【００７６】
無指向性マイクロホン３９１の音源から無指向性マイクロホン３９３の音源を減算して周波数特性を整えると、図１６（ａ）のような双指向性信号５０６が生成される。また、無指向性マイクロホン３９４の音源から無指向性マイクロホン３９２の音源を減算して周波数特性を整えると、図１６（ｂ）のような双指向性信号５０７が生成される。さらに、無指向性マイクロホン３９１乃至３９４の音源を任意に組み合わせて加算することにより無指向性信号が生成される。
【００７７】
図１７は、本発明の実施の形態による第４の配置例におけるマイクロホンの音源の合成例を示す図である。
【００７８】
減算部４２１は、無指向性マイクロホン３９１の音源から無指向性マイクロホン３９３の音源を減算して、図１６（ａ）の縦方向の双指向性信号５０６を生成するものである。減算部４２２は、無指向性マイクロホン３９４の音源から無指向性マイクロホン３９２の音源を減算して、図１６（ｂ）の横方向の双指向性信号５０７を生成するものである。加算部４２３は、無指向性マイクロホン３９１乃至３９４の音源を全て加算することにより無指向性信号を生成するものである。
【００７９】
レベル可変部４２４は、図１６（ａ）の縦方向の双指向性信号５０６をＫｓ倍するものである。また、レベル可変部４２５は、図１６（ｂ）の横方向の双指向性信号５０７をＫｃ倍するものである。ここで、ＫｓおよびＫｃは、指向方向により定められる方向係数である。この方向係数については後述する。
【００８０】
加算合成部４２６は、加算部４２３から供給される無指向性信号、レベル可変部４２４から供給される信号、および、レベル可変部４２５から供給される信号の３つの信号を加算平均処理により合成するものである。この加算合成部４２６によって合成された音源は任意の指向性を有する音源になる。したがって、加算合成部４２６から信号線４２８を介して供給される音源は、サラウンド音源の何れかのチャンネルの音源として用いることができる。
【００８１】
ここで、縦方向の双指向性信号５０６を時間ｔのサイン関数ｓｉｎ（ｔ）、横方向の双指向性信号５０７を時間ｔのコサイン関数ｃｏｓ（ｔ）として表すと、加算合成部４２６によって合成される音源Ｘは次式により表すことができる。
Ｘ＝（１＋Ｋｓ・ｓｉｎ（ｔ）＋Ｋｃ・ｃｏｓ（ｔ））／２
【００８２】
図１８は、本発明の実施の形態における方向係数を示す図である。
【００８３】
方向係数Ｋｓ６１１は指向性の方向角に応じてサインカーブを描き、方向係数Ｋｃ６１２は指向性の方向角に応じてコサインカーブを描くものである。すなわち、方向係数Ｋｓ６１１およびＫｃ６１２は、−１から１までの範囲で指向性の方向角に応じた実数になる。
【００８４】
例えば、指向性の方向角が４５°に設定された場合、ＫｓおよびＫｃはともに２の平方根の逆数（≒０．７）になる。したがって、加算合成部４２６において双指向性信号５０６および５０７が同レベルにより加算平均処理され、さらに無指向性信号が加算平均処理される。この様子を表したものが図１９である。
【００８５】
すなわち、双指向性信号５０６および５０７が同レベルにより加算平均処理されることにより図１９（ａ）における指向性５１１の信号が得られる。そして、これと無指向性５１２の信号が加算平均処理されることにより、図１９（ｂ）の方向角が４５°の指向性５１３の信号が得られることになる。
【００８６】
このように、方向係数ＫｓおよびＫｃを設定することにより、任意の方向角に指向性を有する信号を生成することができる。また、このようにして生成された信号を用いることによってサラウンド音源を生成することができる。そして、これらの音源を図２における撮影音源およびナレーション音源として用いることにより、サラウンド音源の環境下で撮影者によるナレーションがより明瞭に収音されるようになる。
【００８７】
図２０は、本発明の実施の形態における撮像装置１００のマイクロホンの第５の配置例を示す図である。この第５の配置例では、単一指向性マイクロホン３９５および３９６と双指向性マイクロホン３９７の３つのマイクロホンが配置されている。
【００８８】
単一指向性マイクロホン３９５は、撮影方向に指向性を有するマイクロホンである。単一指向性マイクロホン３９６は、撮影方向とは反対の後方に指向性を有するマイクロホンである。双指向性マイクロホン３９７は、右方向および左方向の双方向に指向性を有するマイクロホンである。これら各マイクロホンの間の距離は、例えば１０乃至１５ミリメートル程度である。
【００８９】
図２１は、本発明の実施の形態による第５の配置例におけるマイクロホンの音源の合成例を示す図である。
【００９０】
レベル可変部４３１は、単一指向性マイクロホン３９５の音源を（１＋Ｋｃ）倍するものである。レベル可変部４３２は、単一指向性マイクロホン３９６の音源を（１−Ｋｃ）倍するものである。また、レベル可変部４３３は、双指向性マイクロホン３９７の音源をＫｓ倍するものである。なお、これら方向係数ＫｃおよびＫｓは、図１８により説明したものと同じものである。
【００９１】
加算合成部４３４は、レベル可変部４３１乃至４３３から供給される３つの信号を加算平均処理により合成するものである。この加算合成部４３４によって合成された音源は任意の指向性を有する音源になる。したがって、加算合成部４３４から信号線４３８を介して供給される音源は、サラウンド音源の何れかのチャンネルの音源として用いることができる。
【００９２】
ここで、縦方向の双指向性信号を時間ｔのコサイン関数ｃｏｓ（ｔ）として表すと、単一指向性マイクロホン３９５の音源は（１＋ｃｏｓ（ｔ））になる。また、単一指向性マイクロホン３９６の音源は（１−ｃｏｓ（ｔ））になる。そして、横方向の双指向性信号５０７を時間ｔのサイン関数ｓｉｎ（ｔ）として表すと、加算合成部４３４によって合成される音源Ｙは次式により表すことができる。
Ｙ＝（（１＋Ｋｃ）・（１＋ｃｏｓ（ｔ））／２
＋（１−Ｋｃ）・（１−ｃｏｓ（ｔ））／２
＋Ｋｓ・ｓｉｎ（ｔ））／２
【００９３】
図２２は、本発明の実施の形態による第５の配置例におけるマイクロホンの指向特性の生成例を示す図である。
【００９４】
図２２（ａ）には、単一指向性マイクロホン３９５の音源の指向性５２１、単一指向性マイクロホン３９６の音源の指向性５２２、および、双指向性マイクロホン３９７の音源の指向性５２３が示されている。
【００９５】
加算合成部４３４によって合成される音源Ｙの式において、方向角が０°に設定された場合、Ｋｓ＝０、Ｋｃ＝１になるため、信号線４３８には単一指向性マイクロホン３９５の音源が出力される。指向性の方向角が４５°に設定された場合、ＫｓおよびＫｃはともに２の平方根の逆数（≒０．７）になるため、加算合成部４３４において加算平均処理が行われて、図２２（ｂ）の指向性５２４のように４５°方向に単一指向性の信号が生成される。
【００９６】
また、指向性の方向角が９０°に設定された場合、Ｋｓ＝１、Ｋｃ＝０になるため、レベル可変部４３１および４３２によって無指向性信号が生成され、加算合成部４３４によって双指向性マイクロホン３９７の双指向性信号と加算平均処理されることによって９０°方向に単一指向性の信号が生成される。
【００９７】
同様に、指向性の方向角が９０°乃至１８０°の範囲ではＫｃが負係数で合成され、指向性の方向角が１８０°乃至２７０°の範囲ではＫｓおよびｋｃが負係数で合成され、指向性の方向角が２７０°乃至０°の範囲ではＫｓが負係数で合成される。例えば、指向性の方向角が３１５°に設定された場合、Ｋｃは２の平方根の逆数（≒０．７）になり、Ｋｓは２の平方根の逆数の負数（≒−０．７）になる。これにより、加算合成部４３４において加算平均処理が行われて、図２２（ｂ）の指向性５２５のように３１５°方向に単一指向性の信号が生成される。
【００９８】
このように、方向係数ＫｓおよびＫｃを設定することにより、任意の方向角に指向性を有する信号を生成することができる。また、このようにして生成された信号を用いることによってサラウンド音源を生成することができる。そして、これらの音源を図２における撮影音源およびナレーション音源として用いることにより、サラウンド音源の環境下で撮影者によるナレーションがより明瞭に収音されるようになる。
【００９９】
図２３は、本発明の実施の形態における撮像装置１００の処理手順の一例を示す図である。
【０１００】
撮像装置１００の電源がオン状態であれば（ステップＳ９０１）、距離測定部２００によって撮影者との間の距離が測定される（ステップＳ９０２）。そして、この測定された距離に応じて、撮影音源供給部３２０およびナレーション音源供給部３１０において、それぞれ撮影音源およびナレーション音源の調整が行われる（ステップＳ９０３およびＳ９０４）。
【０１０１】
ステップＳ９０３およびＳ９０４における音源調整の内容については図６により説明したとおりであり、例えば、予め定められた距離（切替点）を基準として、この切替点より近ければナレーション音源をオン状態にして、撮影音源をオフ状態にすることができる。また、オンオフ制御ではなく、撮影者との間の距離が短くなるほど、ナレーション音源のレベルが徐々に大きくなるように調整し、撮影音源のレベルが徐々に小さくなるように調整してもよい。
【０１０２】
これらステップＳ９０３およびＳ９０４において調整された撮影音源およびナレーション音源は、音源合成部３３０において合成される（ステップＳ９０５）。合成された音源はそのまま多重化回路１７０に供給されてもよいが、ナレーションがさらに明瞭に収録されるように、音声帯域をブーストさせる帯域制御（ステップＳ９０６）が帯域制御部３４０によって行われることが望ましい。
【０１０３】
このように、本発明の実施の形態によれば、距離測定部２００によって測定された撮影者との間の距離に応じて、撮影音源供給部３２０およびナレーション音源供給部３１０において、それぞれ撮影音源およびナレーション音源の調整が行われることにより、ナレーションの収音を明瞭に行うことができる。
【０１０４】
なお、本発明の実施の形態では撮像装置１００のマイクロホンに適用した例について説明したが、本発明はこれに限定されるものではなく、例えば、メガホンにおける収音特性の改善に応用することができる。
【０１０５】
また、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【０１０６】
すなわち、請求項１において、距離測定手段は例えば距離測定部２００に対応する。また、音源調整手段は例えばナレーション音源調整部３１１または撮影音源調整部３２１に対応する。
【０１０７】
また、請求項６において、帯域制御手段は例えば帯域制御部３４０に対応する。
【０１０８】
また、請求項１２において、距離測定手段は例えば距離測定部２００に対応する。また、第１のマイクロホンは例えば単一指向性マイクロホン３８２または３８９に対応する。また、第１のマイクロホンレベル調整手段は例えば撮影音源調整部３２１に対応する。また、第２のマイクロホンは例えば無指向性マイクロホン３８３に対応する。また、第２のマイクロホンレベル調整手段は例えばナレーション音源調整部３１１に対応する。また、合成手段は例えば音源合成部３３０に対応する。
【０１０９】
また、請求項１３において、距離測定手段は例えば距離測定部２００に対応する。また、単方向指向性マイクロホンは例えば単一指向性マイクロホン３８６に対応する。また、双指向性マイクロホンは例えば双指向性マイクロホン３８５に対応する。また、加減算器は例えば加算部３２５および減算部３２６に対応する。また、加減算器レベル調整手段は例えば撮影音源調整部３２１に対応する。また、双指向性マイクロホンレベル調整手段は例えばナレーション音源調整部３１１に対応する。また、合成手段は例えば音源合成部３３０に対応する。
【０１１０】
また、請求項１４において、距離測定手段は例えば距離測定部２００に対応する。また、無指向性マイクロホンは例えば無指向性マイクロホン３９１乃至３９４に対応する。また、加算手段は例えば加算部４２３に対応する。また、減算手段は例えば減算部４２１および４２２に対応する。また、加算合成器は例えばレベル可変部４２４、４２５および加算合成部４２６に対応する。また、加算合成器レベル調整手段は例えばナレーション音源調整部３１１または撮影音源調整部３２１に対応する。
【０１１１】
また、請求項１５において、距離測定手段は例えば距離測定部２００に対応する。また、第１の指向性マイクロホンは例えば単一指向性マイクロホン３９５に対応する。また、第２の指向性マイクロホンは例えば単一指向性マイクロホン３９６に対応する。また、双指向性マイクロホンは例えば双指向性マイクロホン３９７に対応する。また、加算合成器は例えばレベル可変部４３１乃至４３３および加算合成部４３４に対応する。また、加算合成器レベル調整手段は例えばナレーション音源調整部３１１または撮影音源調整部３２１に対応する。
【０１１２】
また、請求項１６および１７において、撮像装置の所定個所とその所定個所の特定方向に存在する物体との間の距離を測定する手順は例えばステップＳ９０２に対応する。また、距離が所定長より短くなると特定方向からの音源のレベルを高くする手順は例えばステップＳ９０３またはＳ９０４に対応する。
【０１１３】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【０１１４】
【図１】本発明の実施の形態における撮像装置１００の一構成例を示す図である。
【図２】本発明の実施の形態における撮像装置１００の音源供給部３００の一構成例を示す図である。
【図３】本発明の実施の形態における撮像装置１００のマイクロホンの第１の配置例を示す図である。
【図４】本発明の実施の形態による第１の配置例におけるマイクロホンの指向特性の一例を示す図である。
【図５】本発明の実施の形態による第１の配置例におけるマイクロホンを利用したナレーション音源供給部３１０および撮影音源供給部３２０の構成例を示す図である。
【図６】本発明の実施の形態におけるマイクロホンのレベル制御の例を示す図である。
【図７】本発明の実施の形態におけるマイクロホンの帯域制御の例を示す図である。この帯域制御は帯域制御部３４０によって行われるものである。
【図８】本発明の実施の形態における撮像装置１００のマイクロホンの第２の配置例を示す図である。
【図９】本発明の実施の形態による第２の配置例におけるマイクロホンを利用したナレーション音源供給部３１０および撮影音源供給部３２０の構成例を示す図である。
【図１０】本発明の実施の形態における撮像装置１００のマイクロホンの第３の配置例を示す図である。
【図１１】本発明の実施の形態による第３の配置例におけるマイクロホンの指向特性の生成例を示す図である。
【図１２】本発明の実施の形態による第３の配置例におけるマイクロホンの音源の合成例を示す図である。
【図１３】本発明の実施の形態による第３の配置例におけるマイクロホンの指向特性の一例を示す図である。
【図１４】５．１チャンネルのサラウンド音源の配置および指向特性を示す図である。
【図１５】本発明の実施の形態における撮像装置１００のマイクロホンの第４の配置例を示す図である。
【図１６】本発明の実施の形態による第４の配置例におけるマイクロホンの指向特性の生成例を示す図である。
【図１７】本発明の実施の形態による第４の配置例におけるマイクロホンの音源の合成例を示す図である。
【図１８】本発明の実施の形態における方向係数を示す図である。
【図１９】本発明の実施の形態による第４の配置例におけるマイクロホンの指向特性の一例を示す図である。
【図２０】本発明の実施の形態における撮像装置１００のマイクロホンの第５の配置例を示す図である。
【図２１】本発明の実施の形態による第５の配置例におけるマイクロホンの音源の合成例を示す図である。
【図２２】本発明の実施の形態による第５の配置例におけるマイクロホンの指向特性の生成例を示す図である。
【図２３】本発明の実施の形態における撮像装置１００の処理手順の一例を示す図である。
【符号の説明】
【０１１５】
１００  撮像装置
１１０  ファインダ
１２１  投光素子
１２２  受光素子
１２３  距離算出回路
１３１  マイクロホン
１３２  音源制御回路
１４０  レンズ
１５０  撮像素子
１６０  画像処理回路
１７０  多重化回路
２００  距離測定部
３００  音源供給部
３１０  ナレーション音源供給部
３１１  ナレーション音源調整部
３２０  撮影音源供給部
３２１  撮影音源調整部
３２２  遅延部
３２３  減算部
３２４  イコライザ
３２５  加算部
３２６  減算部
３３０  音源合成部
３４０  帯域制御部
３８１  無指向性マイクロホン
３８２  単一指向性マイクロホン
３８３、３８４  無指向性マイクロホン
３８５  双指向性マイクロホン
３８６、３８９  単一指向性マイクロホン
３９１〜３９４  無指向性マイクロホン
３９５、３９６  単一指向性マイクロホン
３９７  双指向性マイクロホン
４２１、４２２  減算部
４２３  加算部
４２４、４２５、４３１〜４３３  レベル可変部
４２６、４３４  加算合成部
【図１】
2007281981.tif 000003
【図２】
2007281981.tif 000004
【図３】
2007281981.tif 000005
【図４】
2007281981.tif 000006
【図５】
2007281981.tif 000007
【図６】
2007281981.tif 000008
【図７】
2007281981.tif 000009
【図８】
2007281981.tif 000010
【図９】
2007281981.tif 000011
【図１０】
2007281981.tif 000012
【図１１】
2007281981.tif 000013
【図１２】
2007281981.tif 000014
【図１３】
2007281981.tif 000015
【図１４】
2007281981.tif 000016
【図１５】
2007281981.tif 000017
【図１６】
2007281981.tif 000018
【図１７】
2007281981.tif 000019
【図１８】
2007281981.tif 000020
【図１９】
2007281981.tif 000021
【図２０】
2007281981.tif 000022
【図２１】
2007281981.tif 000023
【図２２】
2007281981.tif 000024
【図２３】
2007281981.tif 000025